(57)【要約】【課題】携帯端末が無操作であっても、歩行状態を把握してロックを回避することを目的とする。【解決手段】振動を検出する振動検出部と、情報を入力する入力部と、設定された時間を記憶する記憶部と、前記入力部の最後の操作から計測を開始する時間が、前記設定された時間を経過すると、前記入力部からの情報に従って動作することをロックし、前記設定された時間内に、前記振動検出部で振動を検出すると、前記ロックを回避する制御部とを備えることを特徴とする携帯端末。【選択図】図１
2011087031.tif 000002
【特許請求の範囲】
【請求項１】
振動を検出する振動検出部と、
情報を入力する入力部と、
設定された時間を記憶する記憶部と、
前記入力部の最後の操作から計測を開始する時間が、前記設定された時間を経過すると、前記入力部からの情報に従って動作することをロックし、前記設定された時間内に、前記振動検出部で振動を検出すると、前記ロックを回避する制御部と、
を備える携帯端末。
【請求項２】
前記制御部は、計測した前記入力部の最後の操作から計測を開始する時間をリセットすることで、前記ロックを回避することを特徴とする請求項１に記載の携帯端末。
【請求項３】
さらに、前記記憶部は携帯端末の使用者の歩行パターンを記憶し、前記制御部は、前記振動検出部で検出した振動のパターンを計測し、前記振動のパターンと、前記記憶部の記憶している前記歩行パターンとが等しい場合に、前記ロックを回避することを特徴とする請求項１又は２に記載の携帯端末。
【請求項４】
前記歩行パターンは、振動の発生時間の間隔であることを特徴とする請求項３に記載の携帯端末。
【請求項５】
前記歩行パターンは、振動の振幅であることを特徴とする請求項３又は４に記載の携帯端末。
【請求項６】
前記制御部において、前記設定された時間を可変とすることを特徴とする請求項１から５のいずれかに記載の携帯端末。
【請求項７】
前記振動の発生時間の間隔は前記携帯端末の使用者が歩行する際の一歩の時間の間隔であることを特徴とする請求項４に記載の携帯端末。
【請求項８】
前記振動の振幅は前記携帯端末の使用者が歩行する際の一歩での振幅であることを特徴とする請求項５に記載の携帯端末。
【請求項９】
携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、前記ロックを回避することを特徴とする携帯端末の制御方法。
【請求項１０】
さらに、前記計測を開始した時間をリセットすることで、前記ロックを回避することを特徴とする請求項９に記載の携帯端末の制御方法。
【請求項１１】
さらに、前記振動のパターンと、予め設定した歩行パターンとが等しい場合に、前記ロックを回避することを特徴とする請求項９又は１０に記載の携帯端末の制御方法。
【請求項１２】
前記歩行パターンは、振動の発生時間の間隔であることを特徴とする請求項１１に記載の携帯端末の制御方法。
【請求項１３】
前記歩行パターンは、振動の振幅であることを特徴とする請求項１１又は１２に記載の携帯端末の制御方法。
【請求項１４】
前記予め設定された時間を可変とすることを特徴とする請求項９から１３のいずれかに記載の携帯端末の制御方法。
【請求項１５】
前記振動の発生時間の間隔は前記携帯端末の使用者が歩行する際の一歩の時間の間隔であることを特徴とする請求項１２に記載の携帯端末の制御方法。
【請求項１６】
前記振動の振幅は前記携帯端末の使用者が歩行する際の一歩での振幅であることを特徴とする請求項１３に記載の携帯端末の制御方法。
【請求項１７】
携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、前記ロックを回避することを特徴とする携帯端末に実行させる携帯端末の制御プログラム。
【請求項１８】
さらに、前記計測を開始した時間をリセットすることで、前記ロックを回避することを特徴とする請求項１７に記載の携帯端末に実行させる携帯端末の制御プログラム。
【請求項１９】
さらに、前記振動のパターンと、予め設定した歩行パターンとが等しい場合に、前記ロックを回避することを特徴とする請求項１７又は１８に記載の携帯端末に実行させる携帯端末の制御プログラム。
【請求項２０】
前記歩行パターンは、振動の発生時間の間隔であることを特徴とする請求項１９に記載携帯端末に実行させる携帯端末の制御プログラム。
【請求項２１】
前記歩行パターンは、振動の振幅であることを特徴とする請求項１９又は２０に記載の携帯端末に実行させる携帯端末の制御プログラム。
【請求項２２】
前記予め設定された時間を可変とすることを特徴とする請求項１７から２１のいずれかに記載の携帯端末に実行させる携帯端末の制御プログラム。
【請求項２３】
前記振動の発生時間の間隔は前記携帯端末の使用者が歩行する際の一歩の時間の間隔であることを特徴とする請求項２０に記載の携帯端末に実行させる携帯端末の制御プログラム。
【請求項２４】
前記振動の振幅は前記携帯端末の使用者が歩行する際の一歩での振幅であることを特徴とする請求項２１に記載の携帯端末に実行させる携帯端末の制御プログラム。
【発明の詳細な説明】
【技術分野】
【０００１】
本発明は、携帯端末、携帯端末の制御方法及び携帯端末の制御プログラムに関する。
【背景技術】
【０００２】
携帯端末に加速度センサを実装すると、振動を計測して電気信号に変換することができる。すなわち、振動から携帯端末の使用者の歩行状態を知ることができる。これを利用し、携帯電話の振動から使用者を識別し、個人認証を可能とすることができる。このような携帯端末の一例が、特許文献１に記載されている。
【先行技術文献】
【特許文献】
【０００３】
【特許文献１】特開２００１−１９０５２７号公報
【発明の概要】
【発明が解決しようとする課題】
【０００４】
上述した特許文献１に記載の携帯端末においては、歩行中に携帯端末が無操作であった場合、携帯端末の個人情報保護のため、予め設定された無操作時間経過後に携帯端末はロックされ、使用者がロックされた携帯端末を操作するときに暗証番号を入力してロックを解除しなければならず、操作性が損なわれるという問題点があった。
【０００５】
そこで、本発明の目的は、上述した課題である、携帯端末が無操作であっても、歩行状態を把握してロックを回避することができる携帯端末、携帯端末の制御方法、携帯端末の制御プログラムを提供することを目的とする。
【課題を解決するための手段】
【０００６】
上記目的を達成するために、本発明の携帯端末は、振動を検出する振動検出部と、情報を入力する入力部と、設定された時間を記憶する記憶部と、前記入力部の最後の操作から計測を開始する時間が、前記設定された時間を経過すると、前記入力部からの情報に従って動作することをロックし、前記設定された時間内に、前記振動検出部で振動を検出すると、前記ロックを回避する制御部とを備える。
【０００７】
上記目的を達成するために、本発明の携帯端末の制御方法は、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、前記ロックを回避することを特徴とする。
【０００８】
上記目的を達成するために、本発明の携帯端末の制御プログラムは、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、前記ロックを回避することを特徴とする携帯端末に実行させる。
【発明の効果】
【０００９】
本発明によれば、携帯端末が無操作であっても、歩行状態を把握してロックを回避することができる。
【図面の簡単な説明】
【００１０】
【図１】本発明の携帯端末を説明するブロック図である。
【図２】本発明の携帯端末の実施形態を説明するブロック図である。
【図３】本発明の携帯端末の実施形態を説明するブロック図である。
【図４】本発明の携帯端末の実施形態を説明するブロック図である。
【図５】本発明の携帯端末の実施形態を説明するブロック図である。
【図６】本発明の携帯端末の制御方法を説明するフローチャートである。
【図７】本発明の携帯端末の制御方法の実施形態を説明するフローチャートである。
【図８】本発明の携帯端末の制御方法の実施形態を説明するフローチャートである。
【図９】本発明の携帯端末の制御方法の実施形態を説明するフローチャートである。
【図１０】本発明の携帯端末の制御方法の実施形態を説明するフローチャートである。
【図１１】本発明の携帯端末の制御方法の動作を説明するタイムチャートである。
【図１２】本発明の携帯端末の制御プログラムを説明するフローチャートである。
【図１３】本発明の携帯端末の制御プログラムの実施形態を説明するフローチャートである。
【図１４】本発明の携帯端末の制御プログラムの実施形態を説明するフローチャートである。
【図１５】本発明の携帯端末の制御プログラムの実施形態を説明するフローチャートである。
【図１６】本発明の携帯端末の制御プログラムの実施形態を説明するフローチャートである。
【発明を実施するための形態】
【００１１】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００１２】
まず、図１を参照して、本発明の携帯端末の構成を説明する。図１は、本発明の携帯端末を説明するブロック図である。図１において、本発明の携帯端末１００は、振動を検出する振動検出部１１と、情報を入力する入力部１２と、設定された時間を記憶する記憶部１３と、入力部１２の最後の操作から計測を開始する時間が、設定された時間を経過すると、入力部１２からの情報に従って動作することをロックし、設定された時間内に、振動検出部１１で振動を検出すると、ロックを回避する制御部１０とを備える。具体的には、入力部１２は、制御部１０へ情報の入力を行う。具体例としては、キーボード、タッチパネルがある。振動検出部１１は、携帯端末１００の振動を検出し、振動を電気信号に変換して制御部１０へ入力する。具体例としては、加速度センサがある。記憶部１３は、制御部１０においてロック又はロック回避の判断の基準となる設定を記憶する。記憶される設定値の具体例としては、予め設定されるロックまでの時間、携帯端末の使用者の歩行パターンがある。具体例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）がある。制御部１０は、入力部１２からの最後の操作から計測を開始する時間、すなわち無操作時間を計測し、無操作時間が記憶部１３に設定された時間を経過した場合、入力部１２からの情報に従って動作することをロックし、無操作時間内で入力部１２から情報の入力があった場合、無操作時間をリセットしてロックを回避する。さらに、振動検出部１１が検出した振動を参照し、ロックを回避する。なお、リセットされた無操作時間は、リセットされた時点から再開される。 
【００１３】
以上のように構成することで、携帯端末１００は、無操作時間の経過によって入力部１２からの情報に従って動作することをロックされ、個人情報を保護することができる。また、無操作時間内であっても歩行状態を示す振動を振動検出部１１が検出すれば、ロックを回避し、即座に携帯端末１００の操作に移行することができる。
【００１４】
次に、図２を参照して、本発明の携帯端末の実施形態の構成を説明する。図２は、本発明の携帯端末を説明するブロック図である。なお、図１で説明した要素については説明を省略する。図２において、本発明の携帯端末１００は、振動を検出する振動検出部１１と、情報を入力する入力部１２と、入力部１２の最後の操作から計測を開始する時間が予め設定された時間を経過すると、入力部１２からの情報に従って動作することをロックし、予め設定された時間内に、振動検出部１１で振動を検出すると、無操作時間のリセットによってロックを回避する制御部１０と、ロックする判断又はロックを回避する判断の基準となる設定値を記憶する記憶部１３とを備える。具体的には、制御部１０は、入力部１２からの最後の操作から計測を開始する時間、すなわち無操作時間を計測し、無操作時間が記憶部１３に設定された時間を経過した場合、入力部１２からの情報に従って動作することをロックし、無操作時間内で入力部１２から情報の入力があった場合、無操作時間をリセットしてロックを回避する。さらに、振動検出部１１が検出した振動を参照し、無操作時間をリセットしてロックを回避する。リセットされた無操作時間は、リセットされた時点から再開される。
【００１５】
以上のように構成することで、携帯端末１００は、無操作時間の経過によって入力部１２からの情報に従って動作することをロックされ、個人情報を保護することができる。また、無操作時間内であっても歩行状態を示す振動を振動検出部１１が検出すれば、無操作時間のリセットによってロックを回避し、即座に携帯端末１００の操作に移行することができる。無操作時間をリセットするのみでロックを回避できるので、携帯端末１００の使用者が無操作時間によるロックまでの時間を再設定する必要はなく、操作性を向上させることができる。
【００１６】
次に、図３を参照して、本発明の携帯端末の実施形態について説明する。図３は、本発明の携帯端末の実施形態を説明するブロック図である。なお、図１で説明した要素については説明を省略する。図３において、本発明の携帯端末１００は、振動を検出する振動検出部１１と、情報を入力する入力部１２と、入力部１２の最後の操作から計測を開始する時間が、予め設定された時間を経過すると、入力部１２からの情報に従って動作することをロックし、設定された時間内に、振動検出部１１で振動を検出し、検出された振動が、予め記憶部１３に設定された歩行パターンと同じ場合には、ロックを回避する制御部１０と、ロックする判断又はロックを回避する判断の基準となる設定値を記憶する記憶部１３とを備える。具体的には、制御部１０は、入力部１２からの最後の操作から計測を開始する時間、すなわち無操作時間を計測し、無操作時間が、記憶部１３に予め設定した時間を経過した場合、入力部１２からの情報に従って動作することをロックし、無操作時間内で入力部１２から情報の入力があった場合、無操作時間をリセットしてロックを回避する。さらに、振動検出部１１が検出した振動を参照し、記憶部１３に予め設定された歩行パターンと比較し、一致すれば携帯端末１００を所有している使用者が、携帯端末１００を保持して歩行中であると判断し、無操作時間をリセットしてロックを回避する。リセットされた無操作時間は、リセットされた時点から再開される。
【００１７】
以上のように構成することで、携帯端末１００は、無操作時間の経過によって入力部１２からの情報に従って動作することをロックされ、個人情報を保護することができる。また、無操作時間内であっても歩行状態を示す振動を振動検出部１１が検出すれば、無操作時間のリセットによってロックを回避し、即座に携帯端末１００の操作に移行することができる。そして、検出された振動と、予め設定した歩行パターンとを比較して歩行状態を把握することで、歩行とは無関係の振動を検出した場合に誤ってロックが回避されることはなく、携帯端末１００をロックすることができる。
【００１８】
なお、記憶部１３に設定された時間は、可変であってもよい。可変とすることで、携帯端末１００の使用状況に応じて、無操作によるロックまでの時間を遅らせることができる。ここで、図４に示すように、予め設定される歩行パターンは、振動の発生時間の間隔であってもよい。検出された振動の発生時間の間隔について、予め設定された振動の発生時間の間隔と比較することで、歩行であることが判断できる。この振動の発生時間の間隔は、携帯端末１００の使用者が歩行する際の一歩の時間の間隔であってもよい。携帯端末１００の使用者毎の振動の発生時間の間隔に応じて、適切なロック、又はロック回避を行うことができる。さらに、図５に示すように、予め設定される歩行パターンは、携帯端末の振動の振幅であってもよい。検出された携帯端末の振幅について、予め設定された振動の振幅と比較することで、歩行であることが判断できる。この振動の振幅は、携帯端末１００の使用者が歩行する際の一歩での振幅であってよい。携帯端末１００の振動の振幅に応じて、適切なロック、又はロック回避を行うことができる。
【００１９】
次に、図６を参照して、本発明の携帯端末の制御方法について説明する。図６は、本発明の携帯端末の制御方法を示したフローチャートである。図６において、本発明の携帯端末の制御方法は、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、ロックを回避する。具体的には、まず、携帯端末の制御が開始される前に、設定記憶２９において、予め携帯端末の使用状況に応じた無操作時間の設定を行う。携帯端末の制御が開始されると、無操作時間開始２０において、携帯端末への情報を入力した最後の操作から、設定された時間の無操作時間の計測が開始される。次に、無操作時間計測中に、振動検出２１で振動が検出されず、入力検出２２で入力がないと判断されると、無操作時間測定２３へ移行する。無操作時間測定２３において、予め設定された時間の無操作時間を経過していない場合は、携帯端末はロックされず、振動検出２１及び入力検出２２を繰り返す。予め設定された時間の無操作時間を経過していれば、携帯端末ロック２４へ移行し、携帯端末はロックされる。また、振動検出２１で振動を検出した場合、ロック回避２５へ移行し、ロックは回避される。また、入力検出２２で入力ありと判断されると、無操作時間はリセットされ、ロックは回避される。
【００２０】
以上のような手順を実行することで、携帯端末は、無操作時間の経過によって入力される情報に従って動作することをロックされ、個人情報を保護することができる。また、無操作時間内であっても振動を検出すれば、ロックを回避し、即座に携帯端末の操作に移行することができる。
【００２１】
次に、図７を参照して、本発明の携帯端末の制御方法の実施形態について説明する。図７は、本発明の携帯端末の制御方法の実施形態を示したフローチャートである。図７において、本発明の携帯端末の制御方法は、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、無操作時間をリセットすることでロックを回避する。具体的には、まず、携帯端末の制御が開始される前に、設定記憶２９において、予め、携帯端末の使用状況に応じた無操作時間の設定を行う。そして、携帯端末の制御が開始されると、無操作時間開始２０において、携帯端末への情報を入力した最後の操作から無操作時間の計測が開始される。次に、無操作時間計測中に、振動検出２１で振動が検出されず、入力検出２２で入力がないと判断されると、無操作時間測定２３へ移行する。無操作時間測定２３において、予め設定した無操作時間を経過していない場合は、携帯端末はロックされず、振動検出２１及び入力検出２２を繰り返す。予め設定した無操作時間を経過していれば、携帯端末ロック２４へ移行し、携帯端末はロックされる。また、振動検出２１で振動を検出した場合、無操作時間はリセットされ、ロックは回避される。また、入力検出２２で入力ありと判断されると、無操作時間はリセットされ、ロックは回避される。
【００２２】
以上のような手順を実行することで、携帯端末は、無操作時間の経過によって入力される情報に従って動作することをロックされ、個人情報を保護することができる。また、無操作時間内であっても歩行状態を示す振動を検出すれば、無操作時間のリセットによってロックを回避し、即座に携帯端末の操作に移行することができる。無操作時間をリセットするのみでロックを回避できるので、携帯端末の使用者が無操作時間によるロックまでの時間を再設定する必要はなく、操作性を向上させることができる。
【００２３】
次に、図８を参照して、本発明の携帯端末の制御方法について説明する。図８は、本発明の携帯端末の制御方法の実施形態を示したフローチャートである。図８において、本発明の携帯端末の制御方法は、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、検出された振動が、予め設定された歩行パターンと同じ場合には、ロックを回避する。具体的には、まず、携帯端末の制御が開始される前に、予め、設定記憶２９において、携帯端末の使用状況に応じた無操作時間の設定及び携帯端末の使用者の歩行パターンの設定を行う。そして、携帯端末の制御が開始されると、無操作時間開始２０において、携帯端末への情報を入力した最後の操作から無操作時間の計測が開始される。次に、無操作時間計測中に、振動検出２１で振動が検出されず、入力検出２２で入力がないと判断されると、無操作時間測定２３へ移行する。予め設定した無操作時間を経過していない場合は、携帯端末はロックされず、振動検出２１及び入力検出２２を繰り返す。予め設定した無操作時間を経過していれば、携帯端末ロック２４へ移行し、携帯端末はロックされる。また、振動検出２１で振動を検出した場合、検出された振動が歩行パターン２６で予め設定された歩行パターンと一致すると判断された場合、無操作時間はリセットされ、ロックは回避される。検出された振動が歩行パターン２６で予め設定された歩行パターンと一致しなかった場合は、無操作時間は継続する。また、入力検出２２で入力ありと判断されると、無操作時間はリセットされ、ロックは回避される。
【００２４】
以上のような手順を実行することで、携帯端末は、無操作時間の経過によって入力される情報に従って動作することをロックされ、個人情報を保護することができる。また、無操作時間内であっても歩行状態を示す振動を検出すれば、無操作時間のリセットによってロックを回避し、即座に携帯端末の操作に移行することができる。そして、検出された振動と、予め設定した歩行パターンとを比較して歩行状態を把握することで、歩行とは無関係の振動を検出した場合に誤ってロックが回避されることはなく、携帯端末をロックすることができる。
【００２５】
なお、予め設定される時間は、可変であってもよい。可変とすることで、携帯端末の使用状況に応じて、無操作時間を延長して操作性を維持し、又は無操作時間を短縮して個人情報の保護を厳重にすることができる。ここで、図９に示すように、予め設定される歩行パターン２６は、振動の発生時間の間隔２７であってもよい。検出された振動の発生時間の間隔について、予め設定された振動の発生時間の間隔と比較することで、歩行であることが判断できる。この振動の発生時間の間隔は、携帯端末の使用者が歩行する際の一歩の時間の間隔であってもよい。携帯端末の使用者毎の振動の発生時間の間隔に応じて、適切なロック、又はロック回避を行うことができる。さらに、図１０に示すように、予め設定される歩行パターン２６は、携帯端末の振動の振幅２８であってもよい。検出された携帯端末の振幅について、予め設定された振動の振幅と比較することで、歩行であることが判断できる。この振動の振幅は、携帯端末の使用者が歩行する際の一歩での振幅であってよい。携帯端末の振動の振幅に応じて、適切なロック、又はロック回避を行うことができる。
【００２６】
次に、図１１を参照して、本発明の携帯端末の動作について説明する。図１１は、本発明の携帯端末の動作を示したタイムチャートである。図１１において、Ａ点は無操作開始時間、Ａ点からＢ点の間は予め設定されたロック設定時間、ｂ点からＣ点の間は新たに設定されたロック設定時間、ａ点からｂ点の間は振動発生時間である。図１１に示すように、Ａ点から携帯端末の無操作時間が開始される。予め設定されたロック設定時間であるＢ点まで無操作が継続されれば、携帯端末はロックされる。ここで、ａ点とｂ点との間で発生した振動について、予め設定された歩行パターンと一致すると判断された場合、振動が終了するｂ点において計測されていた無操作時間はリセットされ、携帯端末のロックは回避される。そして、新たにｂ点から無操作時間が開始され、新しいロック設定時間はＣ点となり、Ｃ点まで無操作が継続されれば、携帯端末はロックされる。
【００２７】
次に、図１２を参照して、本発明の携帯端末の制御プログラムについて説明する。図１２は、本発明の携帯端末の制御プログラムを示したフローチャートである。図１２において、本発明の携帯端末の制御プログラムは、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、ロックを回避する。具体的には、まず、携帯端末の制御が開始される前に、設定記憶３９において、予め携帯端末の使用状況に応じた無操作時間の設定を行う。そして、携帯端末の制御が開始されると、無操作時間開始３０において、携帯端末への情報を入力した最後の操作から無操作時間の計測が開始される。次に、無操作時間計測中に、振動検出３１で振動が検出されず、入力検出３２で入力がないと判断されると、無操作時間測定３３へ移行する。無操作時間測定３３において、予め設定した無操作時間を経過していない場合は、携帯端末はロックされず、振動検出３１及び入力検出３２を繰り返す。予め設定した無操作時間を経過していれば、携帯端末ロック３４へ移行し、携帯端末はロックされる。また、振動検出３１で振動を検出した場合、ロック回避３５へ移行し、ロックは回避される。また、入力検出３２で入力ありと判断されると、無操作時間はリセットされ、ロックは回避される。
【００２８】
以上のような手順を実行することで、携帯端末は、無操作時間の経過によって入力される情報に従って動作することをロックされ、個人情報を保護することができる。また、無操作時間内であっても振動を検出すれば、ロックを回避し、即座に携帯端末の操作に移行することができる。
【００２９】
次に、図１３を参照して、本発明の携帯端末の制御プログラムの実施形態について説明する。図１３は、本発明の携帯端末の制御プログラムの実施形態を示したフローチャートである。図１３において、本発明の携帯端末の制御プログラムは、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、無操作時間をリセットすることでロックを回避する。具体的には、まず、携帯端末の制御が開始される前に、予め、設定記憶３９において、携帯端末の使用状況に応じた無操作時間の設定を行う。そして、携帯端末の制御が開始されると、無操作時間開始３０において、携帯端末への情報を入力した最後の操作から無操作時間の計測が開始される。次に、無操作時間計測中に、振動検出３１で振動が検出されず、入力検出３２で入力がないと判断されると、無操作時間測定３３へ移行する。無操作時間測定３３において、予め設定した無操作時間を経過していない場合は、携帯端末はロックされず、振動検出３１及び入力検出３２を繰り返す。予め設定した無操作時間を経過していれば、携帯端末ロック３４へ移行し、携帯端末はロックされる。また、振動検出３１で振動を検出した場合、無操作時間はリセットされ、ロックは回避される。また、入力検出３２で入力ありと判断されると、無操作時間はリセットされ、ロックは回避される。
【００３０】
以上のような手順を実行することで、携帯端末は、無操作時間の経過によって入力される情報に従って動作することをロックされ、個人情報を保護することができる。また、無操作時間内であっても歩行状態を示す振動を検出すれば、無操作時間のリセットによってロックを回避し、即座に携帯端末の操作に移行することができる。無操作時間をリセットするのみでロックを回避できるので、携帯端末の使用者が無操作時間によるロックまでの時間を再設定する必要はなく、操作性を向上させることができる。
【００３１】
次に、図１４を参照して、本発明の携帯端末の制御プログラムの実施形態について説明する。図１４は、本発明の携帯端末の制御プログラムの実施形態を示したフローチャートである。図１４において、本発明の携帯端末の制御プログラムは、携帯端末への情報を入力した最後の操作から計測を開始した時間から予め設定された時間を経過した場合、入力する情報に従って動作することをロックし、前記最後の操作から計測を開始した時間から予め設定された時間までの間に振動を検出した場合、検出された振動が、予め設定された歩行パターンと同じ場合には、ロックを回避する。具体的には、まず、携帯端末の制御が開始される前に、予め、設定記憶３９において、携帯端末の使用状況に応じた無操作時間の設定及び携帯端末の使用者の歩行パターンの設定を行う。そして、携帯端末の制御が開始されると、無操作時間開始３０において、携帯端末への情報を入力した最後の操作から無操作時間の計測が開始される。次に、無操作時間計測中に、振動検出３１で振動が検出されず、入力検出３２で入力がないと判断されると、無操作時間測定３３へ移行する。無操作時間測定３３において、予め設定した無操作時間を経過していない場合は、携帯端末はロックされず、振動検出３１及び入力検出３２を繰り返す。予め設定した無操作時間を経過していれば、携帯端末ロック３４へ移行し、携帯端末はロックされる。また、振動検出３１で振動を検出した場合、検出された振動が歩行パターン３６で予め設定された歩行パターンと一致すると判断された場合、無操作時間はリセットされ、ロックは回避される。検出された振動が歩行パターン３６で予め設定された歩行パターンと一致しなかった場合は、無操作時間は継続する。また、入力検出３２で入力ありと判断されると、無操作時間はリセットされ、ロックは回避される。
【００３２】
以上のような手順を実行することで、携帯端末は、無操作時間の経過によって入力される情報に従って動作することをロックされ、個人情報を保護することができる。また、無操作時間内であっても歩行状態を示す振動を検出すれば、無操作時間のリセットによってロックを回避し、即座に携帯端末の操作に移行することができる。そして、検出された振動と、予め設定した歩行パターンとを比較して歩行状態を把握することで、歩行とは無関係の振動を検出した場合に誤ってロックが回避されることはなく、携帯端末をロックすることができる。
【００３３】
なお、予め設定される時間は、可変であってもよい。可変とすることで、携帯端末の使用状況に応じて、無操作によるロックまでの時間を遅らせることができる。ここで、図１５に示すように、予め設定される歩行パターン３６は、振動の発生時間の間隔３７であってもよい。検出された振動の発生時間の間隔について、予め設定された振動の発生時間の間隔と比較することで、歩行であることが判断できる。この振動の発生時間の間隔は、携帯端末の使用者が歩行する際の一歩の時間の間隔であってもよい。携帯端末の使用者毎の振動の発生時間の間隔に応じて、適切なロック、又はロック回避を行うことができる。さらに、図１６に示すように、予め設定される歩行パターン３６は、振動の振幅３８であってもよい。検出された振幅について、予め設定された振動の振幅と比較することで、歩行であることが判断できる。この振動の振幅は、携帯端末の使用者が歩行する際の一歩の振幅であってよい。携帯端末の振動の振幅に応じて、適切なロック、又はロック回避を行うことができる。
【符号の説明】
【００３４】
１０：制御部
１１：振動検出部
１２：入力部
１３：記憶部
２０：無操作時間開始
２１：振動検出
２２：入力検出
２３：無操作時間測定
２４：携帯端末ロック
２５：ロック回避
２６：歩行パターン
２７：振動の発生時間の間隔
２８：振動の振幅
２９：設定記憶
３０：無操作時間開始
３１：振動検出
３２：入力検出
３３：無操作時間測定
３４：携帯端末ロック
３５：ロック回避
３６：歩行パターン
３７：振動の発生時間の間隔
３８：振動の振幅
３９：設定記憶
１００：携帯端末
【図１】
2011087031.tif 000003
【図２】
2011087031.tif 000004
【図３】
2011087031.tif 000005
【図４】
2011087031.tif 000006
【図５】
2011087031.tif 000007
【図６】
2011087031.tif 000008
【図７】
2011087031.tif 000009
【図８】
2011087031.tif 000010
【図９】
2011087031.tif 000011
【図１０】
2011087031.tif 000012
【図１１】
2011087031.tif 000013
【図１２】
2011087031.tif 000014
【図１３】
2011087031.tif 000015
【図１４】
2011087031.tif 000016
【図１５】
2011087031.tif 000017
【図１６】
2011087031.tif 000018